(57)【要約】【課題】  複数の利用者からの要求に応じて空調エリア内の空調を行う場合において、当該空調エリアを適切に空調可能となり得る空調機用制御システムの一例を開示する。【解決手段】  空調エリアに利用者が進入後、予め決められた時間が経過する前に当該利用者により入力された希望温度情報（第１無効情報）を選別し、当該第１無効情報が設定温度の決定に利用されることを禁止する。これにより、設定温度が過度に低く又は高くなってしまうことが抑制され得るので、当該空調エリアが適切に空調される可能性が高くなる。【選択図】  図１
2020200965.tif 000002
【特許請求の範囲】
【請求項１】
利用者が出入り可能な空間（以下、空調エリアという。）を設定温度に基づいて冷房又は暖房を行う空調機、及び
利用者が希望する室内温度に関する情報（以下、希望温度情報という。）が入力される入力部を有し、
１つ又は複数の前記希望温度情報を利用して前記設定温度を決定する空調装置に適用される空調機用制御システムにおいて、
前記空調エリアに利用者が進入後、予め決められた時間が経過する前に当該利用者により入力された前記希望温度情報（以下、無効情報という。）を選別する選別部と、
前記無効情報が前記設定温度の決定に利用されることを禁止する無効情報利用禁止部と
を備える空調機用制御システム。
【請求項２】
利用者により前記希望温度情報が入力された後、予め決められた時間内に同一の利用者により入力された１つ又は複数の前記希望温度情報（以下、第２の無効情報という。）を選別する第２の選別部と、
前記１つ又は複数の第２の無効情報が前記設定温度の決定に利用されることを禁止する第２の無効情報利用禁止部と
を備える請求項１に記載の空調機用制御システム。
【請求項３】
前記空調装置は、前記希望温度情報を蓄積する蓄積部を有するとともに、前記蓄積部に蓄積された１つ又は複数の前記希望温度情報を利用して前記設定温度を決定する空調装置であって、
前記無効情報利用禁止部及び前記第２の無効情報利用禁止部それぞれは、前記無効情報又は第２の無効情報が有効な情報として前記蓄積部に蓄積されることを禁止する請求項１又は２に記載の空調機用制御システム。
【請求項４】
利用者が出入り可能な空間（以下、空調エリアという。）を設定温度に基づいて冷房又は暖房を行う空調機、及び
利用者が希望する室内温度に関する情報（以下、希望温度情報という。）が入力される入力部を有し、
１つ又は複数の前記希望温度情報を利用して前記設定温度を決定する空調装置の制御部に組み込まれるプログラムであって、
前記制御部を、
空調エリアに利用者が進入後、予め決められた時間が経過する前に当該利用者により入力された前記希望温度情報（以下、無効情報という。）を選別する選別部、及び
前記無効情報が前記設定温度の決定に利用されることを禁止する無効情報利用禁止部
として機能させる空調機用制御プログラム。
【請求項５】
前記制御部を、さらに、
利用者により前記希望温度情報が入力された後、予め決められた時間内に同一の利用者により入力された１つ又は複数の前記希望温度情報（以下、第２の無効情報という。）を選別する第２の選別部、及び
前記１つ又は複数の第２の無効情報が前記設定温度の決定に利用されることを禁止する第２の無効情報利用禁止部
として機能させる請求項４に記載の空調機用制御プログラム。
【請求項６】
利用者が出入り可能な空間（以下、空調エリアという。）を設定温度に基づいて冷房又は暖房を行う空調機、
利用者が希望する室内温度に関する情報（以下、希望温度情報という。）が入力される入力部、及び
前記希望温度情報を蓄積する蓄積部を有し、
前記蓄積部に蓄積された１つ又は複数の前記希望温度情報を利用して前記設定温度を決定する空調装置の制御部に組み込まれるプログラムであって、
前記制御部を、
空調エリアに利用者が進入後、予め決められた時間が経過する前に当該利用者により入力された前記希望温度情報（以下、第１無効情報という。）を選別する第１選別部、
前記第１無効情報が有効な情報として前記蓄積部に蓄積されることを禁止する第１無効情報利用禁止部、
利用者により前記希望温度情報が入力された後、予め決められた時間内に同一の利用者により入力された１つ又は複数の前記希望温度情報（以下、第２無効情報という。）を選別する第２選別部、
前記１つ又は複数の第２無効情報が有効な情報として前記蓄積部に蓄積されることを禁止する第２無効情報利用禁止部
として機能させる空調機用制御プログラム。
【発明の詳細な説明】
【技術分野】
【０００１】
本開示は、空調エリアを設定温度に基づいて冷房又は暖房を行う空調機を制御するための空調機用制御システム及び空調機用制御プログラムに関する。
【背景技術】
【０００２】
例えば、特許文献１に記載の空調機用制御システムでは、複数の利用者から受け付けた要求環境設定情報を蓄積し、蓄積された情報を用いて、推奨される設定温度等の情報（推奨環境設定）を利用者に提供している。
【先行技術文献】
【特許文献】
【０００３】
【特許文献１】特開２０１９−２７６０３号公報
【発明の概要】
【発明が解決しようとする課題】
【０００４】
例えば、複数の利用者からの要求に応じて空調エリア内の冷房又は暖房を行う場合において、各利用者の要求が大きく異なる場合、当該空調エリアを適切に冷房又は暖房を行うことが難しい。
【０００５】
本開示は、上記点に鑑み、複数の利用者からの要求に応じて空調エリア内の冷房又は暖房を行う場合において、当該空調エリアを適切に冷房又は暖房を行うことが可能となり得る空調機用制御システム又は空調機用制御プログラムの一例を開示する。
【課題を解決するための手段】
【０００６】
空調エリアを設定温度に基づいて冷房又は暖房を行う空調機（２）、及び利用者が希望する室内温度に関する情報（以下、希望温度情報という。）が入力される入力部（３１）を有し、１つ又は複数の希望温度情報を利用して設定温度を決定する空調装置に適用される空調機用制御システムは、例えば、以下の構成要件のうち少なくとも１つを備えることが望ましい。
【０００７】
すなわち、当該構成要件は、空調エリアに利用者が進入後、予め決められた時間が経過する前に当該利用者により入力された希望温度情報（以下、無効情報という。）を選別する選別部と、無効情報が設定温度の決定に利用されることを禁止する無効情報利用禁止部とである。
【０００８】
また、当該空調装置の制御部（３）に組み込まれるプログラムにあっては、例えば、以下の機能のうち少なくとも１つを備えることが望ましい。
すなわち、無効情報を選別する機能、及び無効情報が設定温度の決定に利用されることを禁止する機能である。
【０００９】
無効情報は、「空調エリアに利用者が進入後、予め決められた時間が経過する前に当該利用者により入力された希望温度情報」であるので、一時的（過渡的）な要求である可能性が高い。
【００１０】
そして、当該空調機用制御システム等では、無効情報が設定温度の決定に利用されることが禁止されるので、設定温度が過度に低く又は高くなってしまうことが抑制され得る。延いては、当該空調エリアが適切に冷房又は暖房される可能性が高くなる。
【００１１】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１２】
【図１】第１実施形態に係るビル用空調装置の概要を示す図である。
【図２】第１実施形態に係る判別部の作動を示すフローチャートである。
【発明を実施するための形態】
【００１３】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１４】
（第１実施形態）
＜１．空調機用制御システム等の概要＞
本実施形態は、ビル用空調装置１に本開示に係る空調機用制御システム及び空調機用制御プログラムの一例が適用されたものである。以下の説明は、ビル内に設けられた特定の空間（以下、空調エリアという。）の空調を行う空調装置に適用した例である。
【００１５】
空調エリアＡは、図１に示されるように、利用者が出入り可能な空間である。本実施形態に係る空調エリアＡは、例えば、利用者の自席が配置された建物内の部屋である。利用者は、例えば、当該空調エリアＡを利用して働く者である。
【００１６】
ビル用空調装置１は、空調機２及び制御装置３等を少なくとも備える。空調機２は、設定温度に基づいて空調エリアＡ内を冷房又は暖房する。設定温度は、冷房能力又は暖房能力の大きさの度合いを示すパラメータである。
【００１７】
つまり、設定温度は、目標とする室内（空調エリアＡ内の）空気温度や空調機２から吹き出される空気の目標温度等である。したがって、例えば、冷房運転時においては、設定温度が低くなるほど空調機２が発揮する冷房能力が大きくなり、かつ、設定温度が高くなるほど当該冷房能力が小さくなる。
【００１８】
設定温度は、利用者が希望する室内温度に関する情報（以下、希望温度情報という。）を利用して決定される。なお、本実施形態では、制御装置３が設定温度を決定し、かつ、空調機２は、室内空気温度が当該決定された設定温度となるように、冷房能力又は暖房能力を発生させる。
【００１９】
本実施形態に係る制御装置３は、入力部３１、判別部３２、蓄積部３３、算出部３４及び出力部３５等を少なくとも有するコンピュータにて構成されている。具体的には、制御装置３は、ＣＰＵ、ＲＯＭ及びＲＡＭ等を有して構成された演算部、並びに入力部３１、蓄積部３３及び出力部３５を構成する回路基板等を有している。
【００２０】
入力部３１には希望温度情報が入力される。利用者は、自らが携帯する携帯型端末機（例えば、スマートフォン）Ｓ１、空調エリアＡ内に設置された温度設定装置（図示せず。）又は自席のコンピュータ等を利用して、自身が希望する希望温度情報を入力部３１に送信する。
【００２１】
判別部３２及び算出部３４は、演算部にてプログラムが実行されることにより実現される。当該プログラムは、ＲＯＭ等の不揮発性記憶部に予め記憶されているとともに、ＣＰＵにて実行される。
【００２２】
蓄積部３３には、１つ以上の希望温度情報が蓄積される。当該蓄積部３３は、書き換え可能な不揮発性記憶装置にて構成されている。算出部３４は、蓄積部３３に記憶されている１つ又は複数の希望温度情報を利用して設定温度を決定する。
【００２３】
出力部３５は、決定された設定温度を空調機２に送信する。空調機２は、室内空気温度が当該設定温度となるように、冷房能力又は暖房能力を調節する。なお、制御装置３は、空調機２の筐体内又は当該筐体外に配置されている。
【００２４】
＜２．設定温度の決定プロセス＞
判別部３２は、第１選別機能及び第２選別機能のうち少なくとも一方（本実施形態では、２つの）機能を有する。
【００２５】
＜第１選別機能＞
第１選別機能は、利用者が空調エリアＡに進入後、予め決められた時間が経過する前に当該利用者により入力された希望温度情報（以下、第１無効情報という。）を選別する機能である。
【００２６】
なお、本実施形態では、例えば、以下の手法にて「利用者が空調エリアＡに進入したか否か」が判断される。
すなわち、空調エリアＡ内には、ビーコンＢｅが少なくとも１つ設置されている。ビーコンＢｅは、当該空調エリアＡ内に無線信号（電波や赤外線等）を発信する。携帯型端末機Ｓ１には、利用者位置検知用のアプリケーションが組み込まれている。
【００２７】
アプリケーションは、当該無線信号を受信したときに、利用者位置検知サーバＳ２にその旨の信号を自動的に無線送信するプログラムである。利用者位置検知サーバＳ２は、携帯型端末機Ｓ１から送信されてきた信号を利用して、当該携帯型端末機Ｓ１の位置、つまり利用者の位置を把握する。
【００２８】
つまり、本実施形態に係る空調機用制御システムは、「利用者が空調エリアＡに進入したか否か」を判断するための判断装置を備える。本実施形態に係る判断装置は、利用者位置検知サーバＳ２及びアプリケーション等にて構成されている。
【００２９】
なお、上記「予め決められた時間」は、試行錯誤的に決定される時間であって、空調エリアＡの環境及び利用形態等に応じて適宜決定される時間である。因みに、当該時間は、ビル用空調装置１の管理者又は空調装置の施工業者により手動設定された時間、及び予め決められたルールに従って自動設定された時間等、いずれであってもよい。
【００３０】
＜第２選別機能＞
第２選別機能は、利用者により希望温度情報が入力された後、予め決められた時間内に同一の利用者により入力された１つ又は複数の希望温度情報（以下、第２無効情報という。）を選別する機能である。
【００３１】
当該選別は、例えば、以下の手法により実行される。すなわち、希望温度情報には、当該情報の発信元を示す識別信号が含まれている。判別部３２は、当該識別信号を利用して入力された希望温度情報が第２無効情報であるか否かを識別する。
【００３２】
＜無効情報利用禁止機能＞
判別部３２は、第１無効情報及び第２無効情報が有効な情報として蓄積部３３に蓄積されることを禁止する。具体的には、判別部３２は、第１無効情報及び第２無効情報に対して、以下の（ａ）又は（ｂ）の処理を実行する。
【００３３】
（ａ）第１無効情報及び第２無効情報を蓄積部３３に記憶させることなく破棄する処理
（ｂ）利用禁止信号（フラグ）が追加された第１無効情報及び第２無効情報を蓄積部３３に記憶する処理。利用禁止信号（フラグ）とは、当該情報が設定温度の決定に利用されることを禁止すること示す信号（フラグ）である。
【００３４】
因みに、（ｂ）の処理では、設定温度の決定に利用可能な希望温度情報、つまり有効な情報には、その旨を示す利用可能信号（フラグ）が追加されていてもよい。つまり、算出部３４は、利用可能信号が追加されている情報、又は利用禁止信号が追加されていない情報を利用して設定温度を決定する。
【００３５】
＜判別部等の詳細作動＞
図２は、主に判別部３２の作動を示すフローチャートである。当該フローチャートに示される制御は、制御装置３のＣＰＵ（以下、制御装置３と記載する。）で実行される。当該制御は、入力部３１に希望温度情報が入力された時に実行される。
【００３６】
当該制御が起動されると、制御装置３は、入力された情報が第１無効情報であるか否かを判断する（Ｓ１）。制御装置３は、当該情報が第１無効情報であると判断した場合には（Ｓ１：ＹＥＳ）、当該情報を蓄積部３３に記憶させることなく、破棄する（Ｓ７）。
【００３７】
制御装置３は、当該情報が第１無効情報でないと判断した場合には（Ｓ１：ＮＯ）、当該情報が第２無効情報であるか否かを判断する（Ｓ３）。制御装置３は、当該情報が第２無効情報であると判断した場合には（Ｓ３：ＹＥＳ）、当該情報を蓄積部３３に記憶させることなく、破棄する（Ｓ７）。
【００３８】
制御装置３は、当該情報が第２無効情報でないと判断した場合には（Ｓ３：ＮＯ）、当該情報を蓄積部３３に記憶させる（Ｓ５）。つまり、本実施形態に係る判別部３２は、上記（ａ）の処理を実行する。
【００３９】
３．本実施形態に係るビル用空調装置の特徴
第１無効情報は、「空調エリアＡに利用者が進入後、予め決められた時間が経過する前に当該利用者により入力された希望温度情報」であるので、一時的（過渡的）な要求である可能性が高い。
【００４０】
第２無効情報は、「利用者により希望温度情報が入力された後、予め決められた時間内に同一の利用者により入力された１つ又は複数の希望温度情報」であるので、第１無効情報と同様に、一時的（過渡的）な要求である可能性が高い。
【００４１】
そして、本実施形態に係るビル用空調装置１では、第１無効情報及び第２無効情報が設定温度の決定に利用されることが禁止されるので、設定温度が過度に低く又は高くなってしまうことが抑制され得る。延いては、空調エリアＡが適切に冷房又は暖房される可能性が高くなる。
【００４２】
（その他の実施形態）
上述の実施形態では、利用者の自席が配置された建物内の部屋を空調エリアＡとした場合の例であった。しかし、本開示はこれに限定されるものではない。すなわち、当該開示は、例えば、建物全体を空調エリアＡとしたものにも適用可能である。
【００４３】
なお、建物全体を空調エリアＡとした場合には、判断装置の具体的構成や上記「予め決められた時間」等は、建物全体を空調エリアＡとした場合に適した構成又は時間とする必要がある。
【００４４】
上述の実施形態では、第１無効情報であるか否かの判断ステップ（Ｓ１）、及び第２無効情報であるか否かの判断ステップ（Ｓ３）を有していた。しかし、本開示はこれに限定されるものではない。すなわち、当該開示は、例えば、いずれかの判断ステップが廃止された構成であってもよい。
【００４５】
上述の実施形態に係る判別部３２は、上記（ａ）の処理を実行した、しかし、本開示はこれに限定されるものではない。すなわち、当該開示は、例えば、上記（ｂ）の処理が実行される構成であってもよい。なお、上記（ｂ）の処理が実行される構成においては、第１無効情報及び第２無効情報のいずれかに利用可能信号（フラグ）が追加されない構成であってもよい。
【００４６】
さらに、本開示は、上述の実施形態に記載された開示の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００４７】
１… ビル用空調装置
２… 空調機
３… 制御装置
３１… 入力部
３２… 判別部
３３… 蓄積部
３４… 算出部
３５… 出力部
Ａ… 空調エリア
Ｂｅ… ビーコン
Ｓ１… 携帯型端末機
Ｓ２… 利用者位置検知サーバ
【図１】
2020200965.tif 000003
【図２】
2020200965.tif 000004